(57)【要約】    【課題】      アンテナ選択ダイバーシチ技術をＣＤＭＡ方式の無線信号受信方法に導入することにより、時間経過に伴い変化する電波伝搬環境の影響等による無線信号の受信品質の劣化を抑制することのできるＣＤＭＡ受信方法等を提供すること。    【解決手段】  ＣＤＭＡ受信方法は、アンテナ素子によって無線信号を受信する受信ステップと、待ち受け受信区間前の受信前処理中に又は前記待ち受け受信区間の終了後に前記無線信号を受信する前記アンテナ素子を切り替える切替ステップと、前記切替ステップで切り替えられた他のアンテナ素子によって前記無線信号を受信する他の受信ステップと、前記受信ステップでの受信レベルと前記他の受信ステップでの受信レベルとを比較する比較ステップと、前記比較ステップでの比較結果に基づいて受信レベルの最も高い前記アンテナ素子を選択する選択ステップと、を具備する。  【選択図】      図２
2005150913.tif 000002
【特許請求の範囲】
【請求項１】
アンテナ素子によって無線信号を受信する受信ステップと、
待ち受け受信区間前の受信前処理中に又は前記待ち受け受信区間の終了後に前記無線信号を受信する前記アンテナ素子を切り替える切替ステップと、
前記切替ステップで切り替えられた他のアンテナ素子によって前記無線信号を受信する他の受信ステップと、
前記受信ステップでの受信レベルと前記他の受信ステップでの受信レベルとを比較する比較ステップと、
前記比較ステップでの比較結果に基づいて受信レベルの最も高い前記アンテナ素子を選択する選択ステップと、を具備することを特徴とするＣＤＭＡ受信方法。
【請求項２】
前記受信ステップでは、前記待ち受け受信区間において、前記アンテナ素子によって前記無線信号を受信し、
前記切替ステップでは、前記待ち受け受信区間の終了後に前記無線信号を受信する前記アンテナ素子を切り替える、ことを特徴とする請求項１記載のＣＤＭＡ受信方法。
【請求項３】
前記受信ステップでは、前記待ち受け受信区間前の前記受信前処理における受信ＡＧＣ収束時間において、前記アンテナ素子によって前記無線信号を受信し、
前記受信ステップの終了後で前記待ち受け受信区間前の前記受信前処理の最後に、前記切替ステップと、前記他の受信ステップと、前記比較ステップと、前記選択ステップと、を順に行うことを特徴とする請求項１記載のＣＤＭＡ受信方法。
【請求項４】
前記待ち受け受信区間前の前記受信前処理における受信シンセサイザロックアップ時間と受信ＡＧＣ収束時間との間に、前記受信ステップと、前記切替ステップと、前記他の受信ステップと、前記比較ステップと、前記選択ステップと、を順に行うことを特徴とする請求項１記載のＣＤＭＡ受信方法。
【請求項５】
前記待ち受け受信区間前の前記受信前処理における受信シンセサイザロックアップ時間の最後に、前記受信ステップと、前記切替ステップと、前記他の受信ステップと、前記比較ステップと、前記選択ステップと、を順に行うことを特徴とする請求項１記載のＣＤＭＡ受信方法。
【請求項６】
無線信号を捕捉する複数のアンテナ素子と、
複数の前記アンテナ素子との接続を切り替えるアンテナ切替手段と、
前記アンテナ素子毎の受信レベルを測定するレベル測定手段と、
待ち受け受信区間前の受信前処理中に又は前記待ち受け受信区間の終了後に前記アンテナ切替手段が前記アンテナ素子との接続を切り替えるタイミングを提供するタイミング提供手段と、
測定された前記アンテナ素子毎の前記受信レベルに基づいて前記受信レベルの最も高い前記アンテナ素子を選択し、選択された前記アンテナ素子に前記タイミング提供手段から提供されるタイミングで前記アンテナ切替手段に切り替えさせるアンテナ切替制御手段と、を具備することを特徴とするＣＤＭＡ受信装置。
【請求項７】
前記アンテナ切替手段によって取り出された受信信号を直交復調する直交復調手段と、
前記直交復調手段によって生成された同相成分信号をアナログ／ディジタル変換する第１のＡ／Ｄ変換手段と、
前記直交復調手段によって生成された直交成分信号をアナログ／ディジタル変換する第２のＡ／Ｄ変換手段と、
を具備し、
前記レベル測定手段は、前記直交復調手段によって生成されたアナログ信号である前記同相成分信号及び前記直交成分信号から前記アンテナ素子毎の受信レベルを測定する、ことを特徴とする請求項６記載のＣＤＭＡ受信装置。
【請求項８】
請求項６記載のＣＤＭＡ受信装置を具備することを特徴とする移動体通信端末装置。
【請求項９】
請求項７記載のＣＤＭＡ受信装置を具備することを特徴とする移動体通信端末装置。
【発明の詳細な説明】
【技術分野】
【０００１】
本発明は、ＣＤＭＡ方式の無線信号受信方法、並びにこの方法を使用するＣＤＭＡ方式の無線信号受信装置及び移動体通信端末装置に関する。
【背景技術】
【０００２】
移動体通信端末装置を構成要素とする通信システムにおいては、様々な電波伝搬環境の影響によってフェージングが発生し、無線信号の受信品質が劣化する場合がある。従来、フェージングによる受信品質の劣化を抑える技術の一つとして、複数のアンテナ素子を用いて、その中から受信状態の良いものを選択して使用するアンテナ切替ダイバーシティ技術が知られている（例えば、特許文献１参照）。特許文献１に記載のアンテナ選択制御回路は、同一周波数帯を時分割して複数ユーザで共有するＴＤＭＡ(Time Division Multiple Access)方式を利用し、他の移動体通信端末装置に割り当てられたタイムスロットにおいてアンテナ素子毎の受信レベルを測定しさらに受信状態の良いアンテナ素子を選択することによって無線信号の受信品質を向上させるものである。
【特許文献１】特開平１−１８９２４８号公報
【発明の開示】
【発明が解決しようとする課題】
【０００３】
しかしながら、従来のアンテナ切替ダイバーシティ技術では、ＴＤＭＡ方式において他の移動体通信端末装置に割り当てられたタイムスロットを利用して複数のアンテナ素子の受信状態を測定するため、無線信号の送受信を連続的に行う必要のあるＣＤＭＡ方式には、この技術をそのまま適用できない問題がある。
【０００４】
また、ＣＤＭＡ方式の移動体通信端末装置では、通信中は無線信号を連続的に受信しなければならないため、アンテナ素子毎の受信レベルの測定間隔が長くなって、電波伝搬環境が変化することにより、或いは具備されるアンテナ素子の収納状態や使用者の保持状態が変化することにより、無線信号の受信中や待ち受け受信中に無線信号の受信品質が劣化してシステム的同期状態を保持できずに圏外動作となる問題がある。
【０００５】
本発明はかかる点に鑑みてなされたものであり、アンテナ選択ダイバーシティ技術をＣＤＭＡ方式の無線信号受信方法に導入することにより、時間経過に伴い変化する電波伝搬環境の影響等による無線信号の受信品質の劣化を抑制することのできるＣＤＭＡ方式の無線信号受信方法、並びにその方法を使用する無線信号受信装置及び移動体通信端末装置を提供することを目的とする。
【課題を解決するための手段】
【０００６】
本発明に係るＣＤＭＡ受信方法は、アンテナ素子によって無線信号を受信する受信ステップと、待ち受け受信区間前の受信前処理中に又は前記待ち受け受信区間の終了後に前記無線信号を受信する前記アンテナ素子を切り替える切替ステップと、前記切替ステップで切り替えられた他のアンテナ素子によって前記無線信号を受信する他の受信ステップと、前記受信ステップでの受信レベルと前記他の受信ステップでの受信レベルとを比較する比較ステップと、前記比較ステップでの比較結果に基づいて受信レベルの最も高い前記アンテナ素子を選択する選択ステップと、を具備するようにした。
【０００７】
この方法によれば、ＣＤＭＡ方式の仕様で定められた着呼を確認するために必要となる間欠的な待ち受け受信区間を利用して複数のアンテナ素子毎の受信レベルを定期的に測定し、その測定結果に基づいて受信状態の良いアンテナ素子を適宜選択することから、待ち受け受信区間での待ち受け受信性能を改善できると伴に、通信開始当初から受信信号の高い受信品質を確保でき、さらにその高い受信品質を通信中維持することができる。また、この方法によれば、比較ステップにおいてアンテナ素子毎の受信レベルの高低を比較することにより、選択ステップにおいて受信状態の最も良いアンテナ素子が選択されるため、簡易な手法によって電波伝搬環境等の変動に適応的に対応することができる。
【０００８】
本発明に係るＣＤＭＡ受信方法は、前記発明において、前記受信ステップでは、前記待ち受け受信区間において、前記アンテナ素子によって前記無線信号を受信し、前記切替ステップでは、前記待ち受け受信区間の終了後に前記無線信号を受信する前記アンテナ素子を切り替える、ようにした。
【０００９】
この方法によれば、前記発明による効果に加えて、ＣＤＭＡ方式の仕様で定められた待ち受け受信区間における受信信号を受信ステップでの受信信号として利用するため、受信ステップを実施するにあたってアンテナ切替ステップ等の事前準備用のステップが不要となり、複数のアンテナ素子の受信レベルを簡易、かつ、迅速に測定できるようになる。
【００１０】
本発明に係るＣＤＭＡ受信方法は、前記発明において、前記受信ステップでは、前記待ち受け受信区間前の前記受信前処理における受信ＡＧＣ収束時間において、前記アンテナ素子によって前記無線信号を受信し、前記受信ステップの終了後で前記待ち受け受信区間前の前記受信前処理の最後に、前記切替ステップと、前記他の受信ステップと、前記比較ステップと、前記選択ステップと、を順に行うようにした。
【００１１】
この方法によれば、前記発明による効果に加えて、待ち受け受信区間前の受信前処理において受信状態の最も良いアンテナ素子が選択されるため、常に最良の状態で着呼を待ち受けることができる。
【００１２】
本発明に係るＣＤＭＡ受信方法は、前記発明において、前記待ち受け受信区間前の前記受信前処理における受信シンセサイザロックアップ時間と受信ＡＧＣ収束時間との間に、前記受信ステップと、前記切替ステップと、前記他の受信ステップと、前記比較ステップと、前記選択ステップと、を順に行うようにした。
【００１３】
この方法によれば、前記発明による効果に加えて、待ち受け受信区間前の受信前処理において受信状態の最も良いアンテナ素子が選択されるため、常に最良の状態で着呼を待ち受けることができる。
【００１４】
本発明に係るＣＤＭＡ受信方法は、前記発明において、前記待ち受け受信区間前の前記受信前処理における受信シンセサイザロックアップ時間の最後に、前記受信ステップと、前記切替ステップと、前記他の受信ステップと、前記比較ステップと、前記選択ステップと、を順に行うようにした。
【００１５】
この方法によれば、前記発明による効果に加えて、待ち受け受信区間前の受信前処理において受信状態の最も良いアンテナ素子が選択されるため、常に最良の状態で着呼を待ち受けることができる。
【００１６】
本発明に係るＣＤＭＡ受信装置は、無線信号を捕捉する複数のアンテナ素子と、複数の前記アンテナ素子との接続を切り替えるアンテナ切替手段と、前記アンテナ素子毎の受信レベルを測定するレベル測定手段と、待ち受け受信区間前の受信前処理中に又は前記待ち受け受信区間の終了後に前記アンテナ切替手段が前記アンテナ素子との接続を切り替えるタイミングを提供するタイミング提供手段と、測定された前記アンテナ素子毎の前記受信レベルに基づいて前記受信レベルの最も高い前記アンテナ素子を選択し、選択された前記アンテナ素子に前記タイミング提供手段から提供されるタイミングで前記アンテナ切替手段に切り替えさせるアンテナ切替制御手段と、を具備する構成を採る。
【００１７】
この構成によれば、受信状態が最良のアンテナ素子を選択するにあたって複数のアンテナ素子毎の受信レベルの大小を比較するだけでよいため、ダイナミックレンジの狭い簡易なレベル測定回路を使用することができ、その結果アンテナ切替制御を容易に行うことができると伴に、ＣＤＭＡ受信装置の回路規模を小さくすることができる。
【００１８】
本発明に係るＣＤＭＡ受信装置は、前記発明において、前記アンテナ切替手段によって取り出された受信信号を直交復調する直交復調手段と、前記直交復調手段によって生成された同相成分信号をアナログ／ディジタル変換する第１のＡ／Ｄ変換手段と、前記直交復調手段によって生成された直交成分信号をアナログ／ディジタル変換する第２のＡ／Ｄ変換手段と、を具備し、前記レベル測定手段は、前記直交復調手段によって生成されたアナログ信号である前記同相成分信号及び前記直交成分信号から前記アンテナ素子毎の受信レベルを測定する、構成を採る。
【００１９】
この構成によれば、前記発明による効果に加えて、複数のアンテナ素子毎の受信レベルがレベル測定手段においてアナログ信号を用いて測定されるため、直交復調手段とレベル測手段とを一体化して一つの集積回路で具現化することができる。
【００２０】
本発明に係る移動体通信端末装置は、請求項６記載のＣＤＭＡ受信装置を具備する構成を採る。
【００２１】
本発明に係る移動体通信端末装置は、請求項７記載のＣＤＭＡ受信装置を具備する構成を採る。
【００２２】
これらの構成によれば、前記ＣＤＭＡ受信装置を具備するため、待ち受け受信区間における着呼の待ち受け受信性能が高く、かつ、通信開始当初から回線品質が高く、かつ、通信の寸断等が生じ難く、かつ、待ち受け時間の長い移動体通信端末装置が得られる。
【発明の効果】
【００２３】
本発明によれば、ＣＤＭＡ方式の仕様で定められた着呼を確認するために必要となる間欠的な待ち受け受信区間を利用して複数のアンテナ素子毎の受信レベルを定期的に測定し、その測定結果に基づいて受信状態の良いアンテナ素子を適宜選択することから、待ち受け受信区間での待ち受け受信性能を改善できると伴に、通信開始当初から受信信号の高い受信品質を確保でき、さらにその高い受信品質を通信中維持することができる。また、この方法によれば、比較ステップにおいてアンテナ素子毎の受信レベルの高低を比較することにより、選択ステップにおいて受信状態の最も良いアンテナ素子が選択されるため、簡易な手法によって電波伝搬環境等の変動に適応的に対応することができる。
【発明を実施するための最良の形態】
【００２４】
本発明の骨子は、ＣＤＭＡ方式の仕様で定められた周期的に到来する待ち受け受信区間を利用して、待ち受け受信区間の前後で複数のアンテナ素子の受信レベルを順次測定し、その測定結果に基づいて無線信号の受信状態が最良のアンテナ素子を選択することである。
【００２５】
以下、本発明の実施の形態について、図面を参照して詳細に説明する。
【００２６】
（実施の形態１）
図１は、本発明の実施の形態１に係るＣＤＭＡ受信装置１００の構成を示すブロック図である。ＣＤＭＡ受信装置１００は、アンテナ素子１０１、１０２、アンテナ切替部１０３、アンテナ共用器１０４、低雑音アンプ１０５、フィルタ１０６、直交復調部１０７、Ａ／Ｄ(Analog/Digital)コンバータ１０８、１０９、レベル測定部１１０、アンテナ切替制御部１１１及びタイミング提供部１１２を具備する。
【００２７】
アンテナ素子１０１、１０２は、一定の距離をおいて配置され、それぞれが個別に無線信号を捕捉して、その受信信号をアンテナ切替部１０３に入力する。なお、アンテナ素子１０１、１０２は、後に説明するようにアンテナ切替部１０３によってアンテナ共用器１０４への接続を交互に切り替えられて使用される。また、アンテナ素子１０１、１０２は、どちらが優先的に使用されるか予め決められており、本実施の形態では、アンテナ素子１０１が優先的に使用されるメインアンテナで、アンテナ素子１０２がアンテナ素子１０１から切り替えられて代替使用されるサブアンテナとする。
【００２８】
アンテナ切替部１０３は、アンテナ切替制御部１１１から入力されてくる切替信号Ｓ３に応じて、所定のタイミングでアンテナ共用器１０４に接続されるアンテナ素子１０１、１０２を切り替える。
【００２９】
アンテナ共用器１０４は、アンテナ切替部１０３から入力されてくる受信信号を低雑音アンプ１０５に入力すると伴に、図示しない送信部から入力されてくる送信信号をアンテナ切替部１０３に入力する。なお、アンテナ切替部１０３に入力された送信信号は、その入力時に接続された方のアンテナ素子１０１、１０２から無線送信される。
【００３０】
低雑音アンプ１０５は、アンテナ共用器１０４から入力されてくる受信信号を低雑音増幅し、その増幅された受信信号をフィルタ１０６に入力する。
【００３１】
フィルタ１０６は、低雑音アンプ１０５によって増幅された受信信号をフィルタリングし、所望の周波数帯域の受信信号のみを直交復調部１０７に入力する。
【００３２】
直交復調部１０７は、フィルタ１０６でフィルタリングされた受信信号を直交復調して、同相成分であるＩ(In-phase)信号Ｓ１と直交成分であるＱ(Quadrature)信号Ｓ２とを生成すると伴に、Ｉ信号Ｓ１をアナログ信号のままＡ／Ｄコンバータ１０８に入力し、Ｑ信号Ｓ２もアナログ信号のままＡ／Ｄコンバータ１０９に入力する。また、直交復調部１０７は、Ｉ信号及びＱ信号を所望のレベルに増幅するＡＧＣ(Auto Gain Control)機能を具備する。なお、このＡＧＣ機能に関するゲイン情報を用いて、アンテナ素子１０１、１０２の絶対的な受信レベルを算出することもできる。
【００３３】
Ａ／Ｄコンバータ１０８は、直交復調部１０７から入力されてくるＩ信号Ｓ１をアナログ信号からディジタル信号に変換し、そのディジタル信号を図示しないＣＤＭＡ受信装置１００のベースバンド部に入力する。
【００３４】
Ａ／Ｄコンバータ１０９も同様に、直交復調部１０７から入力されてくるＱ信号Ｓ２をアナログ信号からディジタル信号に変換し、そのディジタル信号を図示しないＣＤＭＡ受信装置１００のベースバンド部に入力する。
【００３５】
レベル測定部１１０は、直交復調部１０７から入力されてくるアナログ信号のＩ信号Ｓ１とＱ信号Ｓ２との電力レベルを測定してアンテナ素子１０１、１０２それぞれの受信レベルを順次算出し、その算出値をアンテナ切替制御部１１１に入力する。ここで、アンテナ素子１０１、１０２それぞれの受信レベルは、Ｉ信号Ｓ１の電力レベルの二乗値とＱ信号Ｓ２の電力レベルの二乗値との加算値の平方根即ち√{（Ｓ１）２＋（Ｓ２）２}で表される。なお、アンテナ素子１０１の受信レベルの測定とアンテナ素子１０２の受信レベルの測定との間では、低雑音アンプ１０５の利得及び直交復調部１０７のＡＧＣ機能で使用されるゲイン値は一定である。
【００３６】
アンテナ切替制御部１１１は、アンテナ共用器１０４とアンテナ素子１０１、１０２との接続を切り替えさせるため、タイミング提供部１１２から提供されるタイミングで切替信号Ｓ３をアンテナ切替部１０３に入力する。また、アンテナ切替制御部１１１は、レベル測定部１１０から入力されてくるアンテナ素子１０１、１０２毎の受信レベルを一時保持するメモリを具備し、受信レベルの高い方のアンテナ素子を選択すると伴に、選択された方のアンテナ素子にアンテナ共用器１０４を接続させるため、タイミング提供部１１２から提供されるタイミングでアンテナ切替部１０３に切替信号Ｓ３を入力する。
【００３７】
タイミング提供部１１２は、汎用のタイマを具備し、予め設定された時刻にアンテナ素子１０１、１０２それぞれの受信レベルＰ１、Ｐ２の測定を開始し終了させるタイミングをレベル測定部１１０に提供し、並びに予め設定された時刻にアンテナ素子１０１、１０２を切り替えさせるためのタイミングをアンテナ切替制御部１１１に提供する。この提供されるタイミングは、ＣＤＭＡ方式の仕様で定められた待ち受け受信区間を基準に設定される。
【００３８】
次いで、タイミング提供部１１２からアンテナ切替制御部１１１に提供されるタイミングについて、ＣＤＭＡ受信装置１００の動作を適宜説明しつつ、以下に詳述する。なお、以下の説明では、携帯電話等の移動体通信端末装置にＣＤＭＡ受信装置１００が具備されているものとする。
【００３９】
ＣＤＭＡ受信装置１００を具備する移動体通信端末装置は、特定のセルに所属するときのセルサーチにおいて同期捕捉を行い、また同期捕捉により生成されたタイミングを基準としてＣＤＭＡ方式の仕様で定められた待ち受け受信区間において所属するセルの基地局から送信されてくる無線信号を周期的に捕捉して同期追跡を行うと伴に、基地局からの着呼を待ち受ける。この待ち受け受信区間はＣＤＭＡ方式の仕様に基づいて間欠的に形成されるため、待ち受け受信区間以外の時間において同期追跡及び着呼の待ち受け状態を解除することにより、移動体通信端末装置は、電力消費を抑えて待ち受け時間を延ばすことができる。
【００４０】
同期捕捉によって生成される基準タイミングは、タイミング提供部１１２に記録される。そして、タイミング提供部１１２は、この基準タイミングに基づいて順次到来する待ち受け受信区間の始まりのタイミングと終わりのタイミングとを算出し、その算出されたタイミングに応じて、アンテナ素子１０１、１０２の受信レベルＰ１、Ｐ２を測定し又は測定を終了するタイミングをレベル測定部１１０に提供し、並びにアンテナ共用器１０４へ接続するアンテナ素子を切り替えさせるタイミングをアンテナ切替制御部１１１に提供する。
【００４１】
図２に、本実施の形態に係る移動体通信端末装置で使用されるＣＤＭＡ受信方法について、その受信ステップ、切替ステップ、他の受信ステップ、比較ステップ及び選択ステップのタイミングを時系列で示す。図２において、タイミングＴ２１１は任意の待ち受け受信区間が始まるタイミング、タイミングＴ２１２は待ち受け受信区間が終了すると伴にアンテナ素子１０１からアンテナ素子１０２にアンテナ共用器１０４への接続を切り替えるタイミング、タイミングＴ２１３はタイミングＴ２１２で切り替えられたアンテナ素子１０２から受信信号の取り出しを中止すると伴にアンテナ素子１０１の受信レベルとアンテナ素子１０２の受信レベルとの比較を開始するタイミング、タイミングＴ２１４はアンテナ素子１０１の受信レベルとアンテナ素子１０２の受信レベルとの比較を終了すると伴にその比較結果に応じてアンテナ共用器１０４に接続するアンテナ素子を切り替えるタイミング、をそれぞれ示す。
【００４２】
本実施の形態において、タイミングＴ２１１では、タイミング提供部１１２からレベル測定部１１０に、アンテナ素子１０１の受信レベルＰ１の測定開始を通知するタイミングが提供される。続いて、タイミングＴ２１２では、タイミング提供部１１２からアンテナ切替制御部１１１に、アンテナ共用器１０４への接続をアンテナ素子１０１からアンテナ素子１０２に切り替えさせるためのタイミングが提供される。続いて、タイミングＴ２１３では、タイミング提供部１１２からレベル測定部１１０に、アンテナ素子１０２の受信レベルＰ２の測定の終了を通知するタイミングが提供されると伴に、タイミング提供部１１２からアンテナ切替制御部１１１に、アンテナ素子１０１の受信レベルＰ１とアンテナ素子１０２の受信レベルＰ２との比較の開始を通知するタイミングが提供される。続いて、タイミングＴ２１４では、タイミング提供部１１２からアンテナ切替制御部１１１に、前記比較に基づいて選択されたアンテナ素子にアンテナ共用器１０４への接続を切り替えさせるタイミングが提供される。
【００４３】
タイミングＴ２１１からタイミングＴ２１２までの待ち受け受信区間では、移動体通信端末装置において、アンテナ切替部１０３によってメインアンテナであるアンテナ素子１０１とアンテナ共用器１０４とが接続され、アンテナ素子１０１による受信信号がアンテナ切替部１０３、アンテナ共用器１０４、低雑音アンプ１０５、フィルタ１０６、直交復調部１０７及びＡ／Ｄコンバータ１０８、１０９でそれぞれ所定の信号処理を施された後に図示しないベースバンド部に入力される。そして、ベースバンド部に入力された受信信号は、公知の手段によって同期追跡に利用される。また、タイミングＴ２１１からタイミングＴ２１２までの待ち受け受信区間では、アンテナ素子１０１による受信信号がアナログ信号としてレベル測定部１１０に入力され、レベル測定部１１０においてアンテナ素子１０１の受信レベルＰ１が測定される。即ち、本実施の形態では、待ち受け受信区間が受信ステップに相当する。そして、測定されたアンテナ素子１０１の受信レベルＰ１は、アンテナ切替制御部１１１に入力され、具備されるメモリに一時保持される。
【００４４】
タイミングＴ２１２では、上記の通りタイミング提供部１１２からアンテナ切替制御部１１１にアンテナ素子１０１からアンテナ素子１０２にアンテナ共用器１０４への接続を切り替えさせるタイミングが提供される。そして、このタイミングを提供されたアンテナ切替制御部１１１は、アンテナ切替部１０３に切替信号Ｓ３を入力する。アンテナ切替部１０３は、切替信号Ｓ３に従って、アンテナ共用器１０４への接続をアンテナ素子１０１からアンテナ素子１０２に切り替える。即ち、タイミングＴ２１２では、切替ステップが実施されることになる。
【００４５】
タイミングＴ２１２からタイミングＴ２１３までの区間では、アンテナ素子１０２による受信信号が待ち受け受信区間における受信ステップと同様の信号処理を施された後に、アンテナ素子１０２の受信レベルＰ２がアンテナ切替制御部１１１に入力される。即ち、タイミングＴ２１２からタイミングＴ２１３までの区間では、他の受信ステップが実施されることになる。なお、受信ステップと他の受信ステップとにおける低雑音アンプ１０５での利得及び直交復調部１０７でのゲイン値は、一定であるものとする。
【００４６】
タイミングＴ２１３からタイミングＴ２１４までの区間では、アンテナ切替制御部１１１において、メモリに保持されたアンテナ素子１０１の受信レベルＰ１とアンテナ素子１０２の受信レベルＰ２とが比較され、その大小関係が判定される。即ち、タイミングＴ２１３からタイミングＴ２１４までの区間では、比較ステップが実施されることになる。
【００４７】
タイミングＴ２１４では、比較ステップにおける比較結果に従って、Ｐ１がＰ２以上（Ｐ１≧Ｐ２）場合にはアンテナ共用器１０４への接続をアンテナ素子１０１に切り替えるように、一方Ｐ２がＰ１より大きい（Ｐ２＞Ｐ１）の場合にはアンテナ共用器１０４への接続をアンテナ素子１０２のまま維持するように、アンテナ切替制御部１１１がアンテナ切替部１０３に切替信号Ｓ３をそれぞれ入力する。即ち、タイミングＴ２１４では、選択ステップが実施されることになる。なお、本実施の形態では、Ｐ１≧Ｐ２であるものとする。
【００４８】
そして、タイミングＴ２１４以降では、次の待ち受け受信区間が到来するまで即ちタイミング提供部１１２からレベル測定部１１０に次回のタイミングＴ２１１が提供されるまで、アンテナ切替部１０３がアンテナ素子１０１とアンテナ共用器１０４とを接続しつつ、タイミング提供部１１２を除く移動体通信端末装置の各構成部が動作を休止する。
【００４９】
このように本実施の形態によれば、ＣＤＭＡ方式の仕様で定められた待ち受け受信区間を利用して受信ステップが実施されるため、短時間で受信状態の良いアンテナ素子を選択することができる。
【００５０】
また、本実施の形態によれば、待ち受け受信区間毎に受信状態の良いアンテナ素子が選択されるため、常に良好な待ち受け受信状態を維持することができる。
【００５１】
また、本実施の形態によれば、比較ステップにおいてアンテナ素子の受信レベルの大小関係を判定するだけでよいため、汎用の電子部品を用いて容易に回路を構成することができる。また、同様の理由により、ＣＤＭＡ受信装置１００の構成部品を集積して部品点数を減らすことが容易となる。
【００５２】
なお、本実施の形態に係るＣＤＭＡ受信方法、ＣＤＭＡ受信装置又は移動体通信端末装置について、以下のように変形したり、応用したりしてもよい。
【００５３】
本実施の形態では、ＣＤＭＡ受信装置１００にアンテナ素子が２つ配置される場合について説明したが、本発明はこの場合に限定されるものではなく、例えばＣＤＭＡ受信装置１００にアンテナ素子が３つ以上配置されてもよい。このようにすれば、ＣＤＭＡ受信装置１００に具備されるアンテナ素子の数が増えるため、電波伝搬環境の変化に対するＣＤＭＡ受信装置１００の適応性を一層高めることができる。なお、ＣＤＭＡ受信装置１００にアンテナ素子が３つ以上配置される場合は、本実施の形態におけるＣＤＭＡ受信方法の切替ステップ及び他の受信ステップをアンテナ素子の数に応じて繰り返し実施した後に、比較ステップ及び選択ステップを順に実施することになる。
【００５４】
また、本実施の形態では、一回の待ち受け受信区間に対して選択ステップが一回実行される場合について説明したが、本発明はこの場合に限定されるものではなく、例えば複数回の待ち受け受信区間におけるアンテナ素子１０１の受信レベルＰ１の平均値とアンテナ素子１０２の受信レベルＰ２の平均値とを比較して、これら平均値の大小関係に応じて選択ステップを実施するようにしてもよい。
【００５５】
また、本実施の形態に係るＣＤＭＡ受信装置１００では、直交復調部１０７で生成されたＩ信号Ｓ１とＱ信号Ｓ２とがアナログ信号としてレベル測定部１１０に入力される場合について説明したが、本発明はこの場合に限定されるものではなく、例えばＡ／Ｄコンバータ１０８、１０９によってディジタル信号に変換されたＩ信号データ及びＱ信号データをレベル測定部１１０に入力するようにしてもよい。
【００５６】
さらに、本実施の形態に係る移動体通信端末装置において、例えばＡ／Ｄコンバータ１０８、１０９によってディジタル信号に変換されたＩ信号データ及びＱ信号データからレベル測定部１１０に入力された信号のＳＩＲ(Signal-Interfere ratio)を測定して、その測定値が一定値以下に低下したときのみ、本実施の形態に係るＣＤＭＡ受信方法が実施されるようにしてもよい。このようにすれば、受信ステップでの無線信号の受信品質が良好なときには、それ以後の各ステップ即ち切替ステップ、他の受信ステップ、比較ステップ及び選択ステップが実施されないことから、移動体通信端末装置の電力消費を抑制して、その待ち受け時間を一層延ばすことができる。
【００５７】
（実施の形態２）
本発明に係る実施の形態２では、上記実施の形態１において、受信ステップが待ち受け受信区間前の前記受信前処理における受信ＡＧＣ収束時間を利用して実施され、受信ステップの終了後で前記待ち受け受信区間前の前記受信前処理の最後に、切替ステップ、他の受信ステップ、比較ステップ及び選択ステップがこの順に実施されることを特徴とする。また、本実施の形態では、実施の形態１におけるＣＤＭＡ受信装置１００及びこれを具備する移動体通信端末装置がそのまま使用される。従って、本実施の形態では、実施の形態１と相違するＣＤＭＡ受信方法についてのみ、以下に詳述する。
【００５８】
図３に、本実施の形態に係る移動体通信端末装置で使用されるＣＤＭＡ受信方法について、その受信ステップ、切替ステップ、他の受信ステップ、比較ステップ及び選択ステップのタイミングを時系列で示す。
【００５９】
図３において、タイミングＴ３１１は任意の待ち受け受信区間が開始される直前で受信前処理が始まるタイミング即ち受信シンセサイザロックアップ時間が始まるタイミング、タイミングＴ３１２は受信シンセサイザロックアップ時間が終了すると伴に受信ＡＧＣ収束時間が始まるタイミング、タイミングＴ３１３は受信ＡＧＣ収束時間が終了すると伴にアンテナ共用器１０４への接続をアンテナ素子１０２に切り替えるタイミング、タイミングＴ３１４はタイミングＴ３１３で切り替えられたアンテナ素子１０２からの受信信号の取り出しを中止すると伴にアンテナ素子１０１の受信レベルＰ１とアンテナ素子１０２の受信レベルＰ２との比較を開始するタイミング、タイミングＴ３１５はアンテナ素子１０１の受信レベルＰ１とアンテナ素子１０２の受信レベルＰ２との比較を終了すると伴にその比較結果に応じてアンテナ共用器１０４に接続するアンテナ素子を切り替えるタイミング、をそれぞれ示す。
【００６０】
本実施の形態において、タイミングＴ３１１では、タイミング提供部１１２からレベル測定部１１０を介して直交復調部１０７に、受信前処理の開始を通知するタイミングが提供される。続いて、タイミングＴ３１２では、タイミング提供部１１２からレベル測定部１１０に、アンテナ素子１０１の受信レベルの測定開始を通知するタイミングが提供される。続いて、タイミングＴ３１３では、タイミング提供部１１２からアンテナ切替制御部１１１に、アンテナ共用器１０４への接続をアンテナ素子１０１からアンテナ素子１０２に切り替えさせるためのタイミングが提供される。続いて、タイミングＴ３１４では、タイミング提供部１１２からレベル測定部１１０に、アンテナ素子１０２の受信レベルＰ２の測定の終了を通知するタイミングが提供されると伴に、タイミング提供部１１２からアンテナ切替制御部１１１に、アンテナ素子１０１の受信レベルＰ１とアンテナ素子１０２の受信レベルＰ２との比較の開始を通知するタイミングが提供される。続いて、タイミングＴ３１５では、タイミング提供部１１２からアンテナ切替制御部１１１に、前記比較に基づいて選択されたアンテナ素子１０１にアンテナ共用器１０４への接続を切り替えさせるタイミングが提供される。
【００６１】
タイミングＴ３１１からタイミングＴ３１２までの受信シンセサイザロックアップ時間では、アンテナ素子１０１による受信信号に対して直交復調部１０７において、直交復調用ローカル信号を生成する受信シンセサイザの周波数ロックアップ動作が行われる。この受信シンセサイザロックアップ時間は、一般に１００μｓから５００μｓ程度である。なお、タイミングＴ３１１からタイミングＴ３１２までの受信シンセサイザロックアップ時間では、アンテナ素子１０１によって無線信号を安定的に捕捉できないため、アンテナ素子１０１の受信レベルＰ１の測定は実施されない。
【００６２】
タイミングＴ３１２からタイミングＴ３１３までの受信ＡＧＣ収束時間では、アンテナ素子１０１による受信信号のＩ信号と同Ｑ信号の受信レベルが一定となるように、直交復調部１０７において前記受信信号に受信ＡＧＣループがかけられる即ち直交復調部１０７とレベル測定部１１０との間で前記受信レベルのフィードバック制御が行われる。また、タイミングＴ３１２からタイミングＴ３１３までの受信ＡＧＣ収束時間では、受信ＡＧＣ収束後のアンテナ素子１０１による受信信号がアナログ信号としてレベル測定部１１０に入力され、レベル測定部１１０においてその受信レベルＰ１が測定される。即ち、本実施の形態では、受信ＡＧＣ収束時間において受信ステップが実施されることになる。そして、測定されたアンテナ素子１０１の受信レベルＰ１は、アンテナ切替制御部１１１に入力され、具備されるメモリに一時保持される。なお、図３において、アンテナ素子１０１の受信レベルＰ１が受信ＡＧＣ収束時間の後半から記載されているのは、低雑音アンプ１０５での利得及び直交復調部１０７でのゲイン値が安定した後に、アンテナ素子１０１の受信レベルＰ１が測定されることを示す。
【００６３】
タイミングＴ３１３では、上記の通りアンテナ共用器１０４への接続をアンテナ素子１０１からアンテナ素子１０２に切り替えさせるように、タイミング提供部１１２からアンテナ切替制御部１１１にタイミングが提供される。そして、このタイミングを提供されたアンテナ切替制御部１１１は、アンテナ切替部１０３に切替信号Ｓ３を入力する。アンテナ切替部１０３は、切替信号Ｓ３に従って、アンテナ共用器１０４への接続をアンテナ素子１０１からアンテナ素子１０２に切り替える。即ち、タイミングＴ３１３では、切替ステップが実施されることになる。
【００６４】
タイミングＴ３１３からタイミングＴ３１４までの区間では、アンテナ素子１０２による受信信号が前記受信ステップと同様の信号処理を施されてアンテナ素子１０２の受信レベルＰ２が算出された後に、この受信レベルＰ２がアンテナ切替制御部１１１に入力される。即ち、タイミングＴ３１３からタイミングＴ３１４までの区間では、他の受信ステップが実施されることになる。なお、受信ステップの終了時と他の受信ステップとにおける低雑音アンプ１０５での利得及び直交復調部１０７でのゲイン値は一定であるものとする。
【００６５】
タイミングＴ３１４からタイミングＴ３１５までの区間では、アンテナ切替制御部１１１において、メモリに保持されたアンテナ素子１０１の受信レベルＰ１とアンテナ素子１０２の受信レベルＰ２とが比較され、その大小関係が判定される。即ち、タイミングＴ３１４からタイミングＴ３１５までの区間では、比較ステップが実施されることになる。
【００６６】
タイミングＴ３１５では、比較ステップにおける比較結果に従って、アンテナ素子１０１の受信レベルＰ１がアンテナ素子１０２の受信レベルＰ２以上（Ｐ１≧Ｐ２）である場合には、アンテナ共用器１０４への接続をアンテナ素子１０１に切り替えるように、一方でアンテナ素子１０２の受信レベルＰ２がアンテナ素子１０１の受信レベルＰ１より大きい（Ｐ２＞Ｐ１）場合には、アンテナ共用器１０４への接続をアンテナ素子１０２のまま維持するように、アンテナ切替制御部１１１からアンテナ切替部１０３に切替信号Ｓ３がそれぞれ入力される。なお、タイミングＴ３１５においてＰ２＞Ｐ１の場合には、アンテナ切替制御部１１１においてＰ２−Ｐ１の差が算出され、その時の直交復調部１０７のゲイン値がＧｄＢであれば（Ｇ＋（Ｐ２−Ｐ１））となるようにゲイン値が修正された後に、タイミング提供部１１２から提供されるタイミングに応じてアンテナ切替制御部１１１からアンテナ切替部１０３に切替信号Ｓ３が入力される。従って、タイミングＴ３１５では、選択ステップが実施されることになる。なお、本実施の形態でも、Ｐ１≧Ｐ２であるものとする。
【００６７】
そして、タイミングＴ３１５以降即ち待ち受け受信区間では、アンテナ素子１０１による受信信号に基づいて同期追跡及び着呼の待ち受けが実施される。
【００６８】
このように、本実施の形態によれば、ＣＤＭＡ方式の仕様で定められた待ち受け受信区間の直前で、かつ、ＣＤＭＡ受信装置１００が待ち受け状態を確立するために必ず必要となる受信前処理において、受信ステップ、切替ステップ、他の受信ステップ、比較ステップ及び選択ステップが順に実施されるため、全ての待ち受け受信区間で無線信号の高い受信品質を確保することができる。
【００６９】
また、本実施の形態によれば、Ｐ２＞Ｐ１の場合であっても、直交復調部１０７のゲイン値がＧｄＢであれば（Ｇ＋（Ｐ２−Ｐ１））となるようにゲイン値が修正された後にタイミングＴ３１５においてアンテナ共用器１０４への接続がアンテナ素子１０２に切り替えられるため、受信ＡＧＣ収束時間においてアンテナ素子１０２による受信信号に基づいて受信ＡＧＣループがかけられた場合と同様の効果が奏される。
【００７０】
また、本実施の形態に係る移動体通信端末装置によれば、待ち受け受信区間直前の受信前処理において受信ステップ、切替ステップ、他の受信ステップ、比較ステップ及び選択ステップが実施されるため、ＣＤＭＡ受信装置１００の動作時間を削減して、待ち受け時間を一層延ばすことができる。
【００７１】
なお、本実施の形態に係るＣＤＭＡ受信方法、ＣＤＭＡ受信装置又は移動体通信端末装置について、以下のように変形したり、応用したりしてもよい。
【００７２】
本実施の形態では、ＣＤＭＡ受信装置１００にアンテナ素子が２つ配置される場合について説明したが、本発明はこの場合に限定されるものではなく、例えばＣＤＭＡ受信装置１００にアンテナ素子が３つ以上配置されてもよい。
【００７３】
また、本実施の形態では、一回の待ち受け受信区間に対して選択ステップが一回実行される場合について説明したが、本発明はこの場合に限定されるものではなく、例えば複数回の待ち受け受信区間におけるアンテナ素子１０１の受信レベルＰ１の平均値とアンテナ素子１０２の受信レベルＰ２の平均値とを比較して、これら平均値の大小関係に応じて選択ステップを実施するようにしてもよい。
【００７４】
また、本実施の形態に係るＣＤＭＡ受信装置１００では、直交復調部１０７で生成されたＩ信号Ｓ１とＱ信号Ｓ２とがアナログ信号としてレベル測定部１１０に入力される場合について説明したが、本発明はこの場合に限定されるものではなく、例えばＡ／Ｄコンバータ１０８、１０９によってディジタル信号に変換されたＩ信号データ及びＱ信号データをレベル測定部１１０に入力するようにしてもよい。
【００７５】
（実施の形態３）
本発明に係る実施の形態３では、上記実施の形態１において、待ち受け受信区間前に必須となる前記受信前処理における受信シンセサイザロックアップ時間と受信ＡＧＣ収束時間との間に、受信ステップ、切替ステップ、他の受信ステップ、比較ステップ及び選択ステップがこの順に実施される。
【００７６】
また、本実施の形態では、上記実施の形態１及び上記実施の形態２におけるＣＤＭＡ受信装置１００及びこれを具備する移動体通信端末装置がそのまま使用される。従って、本実施の形態では、実施の形態１及び実施の形態２と相違するＣＤＭＡ受信方法についてのみ、以下に詳述する。
【００７７】
図４に、本実施の形態に係る移動体通信端末装置で使用されるＣＤＭＡ受信方法について、その受信ステップ、切替ステップ、他の受信ステップ、比較ステップ及び選択ステップのタイミングを時系列で示す。
【００７８】
図４において、タイミングＴ３１１は任意の待ち受け受信区間が開始される直前の受信前処理が始まるタイミング即ち受信シンセサイザロックアップ時間が始まるタイミング、タイミングＴ４１２は受信シンセサイザロックアップ時間が終了すると伴にアンテナ素子１０１の受信レベルＰ１の測定が開始されるタイミング、タイミングＴ４１３はアンテナ素子１０１の受信レベルＰ１の測定が終了すると伴にアンテナ共用器１０４への接続がアンテナ素子１０２に切り替えられるタイミング、タイミングＴ４１４はタイミングＴ４１３で切り替えられたアンテナ素子１０２から受信信号の取り出しを中止すると伴にアンテナ素子１０１の受信レベルＰ１とアンテナ素子１０２の受信レベルＰ２との比較を開始するタイミング、タイミングＴ４１５はアンテナ素子１０１の受信レベルＰ１とアンテナ素子１０２の受信レベルＰ２との比較を終了すると伴にその比較結果に応じてアンテナ共用器１０４へ接続するアンテナ素子を切り替えるタイミング、タイミングＴ３１５は受信ＡＧＣ収束時間が終了すると伴に待ち受け受信区間が始まるタイミング、をそれぞれ示す。
【００７９】
本実施の形態において、タイミングＴ３１１では、タイミング提供部１１２からレベル測定部１１０を介して直交復調部１０７に、受信前処理の開始を通知するタイミングが提供される。続いて、タイミングＴ４１２では、タイミング提供部１１２からレベル測定部１１０に、アンテナ素子１０１の受信レベルＰ１の測定開始を通知するタイミングが提供される。続いて、タイミングＴ４１３では、タイミング提供部１１２からアンテナ切替制御部１１１に、アンテナ共用器１０４への接続をアンテナ素子１０１からアンテナ素子１０２に切り替えさせるためのタイミングが提供される。続いて、タイミングＴ４１４では、タイミング提供部１１２からレベル測定部１１０に、アンテナ素子１０２の受信レベルＰ２の測定の終了を通知するタイミングが提供されると伴に、タイミング提供部１１２からアンテナ切替制御部１１１に、アンテナ素子１０１の受信レベルＰ１とアンテナ素子１０２の受信レベルＰ２との比較の開始を通知するタイミングが提供される。続いて、タイミングＴ４１５では、タイミング提供部１１２からアンテナ切替制御部１１１に、前記比較に基づいて選択されたアンテナ素子１０１にアンテナ共用器１０４への接続を切り替えさせるタイミングが提供される。なお、タイミングＴ３１５では、タイミング提供部１１２からレベル測定部１１０を介して直交復調部１０７に、受信前処理の終了即ち受信ＡＧＣ収束時間の終了を通知するタイミングが提供される。
【００８０】
タイミングＴ３１１からタイミングＴ４１２までの受信シンセサイザロックアップ時間では、アンテナ素子１０１による受信信号に対して直交復調部１０７において、直交復調用ローカル信号を生成する受信シンセサイザの周波数ロックアップ動作が行われる。なお、受信シンセサイザロックアップ時間では、アンテナ素子１０１によって無線信号を安定的に捕捉できないため、レベル測定部１１０におけるアンテナ素子１０１の受信レベルＰ１の測定は行われない。
【００８１】
タイミングＴ４１２では、上記の通りタイミング提供部１１２から提供されるタイミングに応じて、レベル測定部１１０においてアンテナ素子１０１の受信レベルＰ１の測定が開始される。
【００８２】
タイミングＴ４１２からタイミングＴ４１３までの区間では、アンテナ素子１０１による受信信号がアナログ信号としてレベル測定部１１０に入力され、レベル測定部１１０においてその受信レベルＰ１が測定される。即ち、本実施の形態では、タイミングＴ４１２からタイミングＴ４１３までの区間において、受信ステップが実施されることになる。そして、測定されたアンテナ素子１０１の受信レベルＰ１は、アンテナ切替制御部１１１に入力され、具備されるメモリに一時保持される。
【００８３】
タイミングＴ４１３では、上記の通りタイミング提供部１１２からアンテナ切替制御部１１１にアンテナ素子１０１からアンテナ素子１０２にアンテナ共用器１０４への接続を切り替えさせるタイミングが提供される。そして、このタイミングを提供されたアンテナ切替制御部１１１は、アンテナ切替部１０３に切替信号Ｓ３を入力する。アンテナ切替部１０３は、切替信号Ｓ３に従って、アンテナ共用器１０４への接続をアンテナ素子１０１からアンテナ素子１０２に切り替える。即ち、タイミングＴ４１３では、切替ステップが実施されることになる。
【００８４】
タイミングＴ４１３からタイミングＴ４１４までの区間では、アンテナ素子１０２による受信信号に上記受信ステップでの信号処理と同様の信号処理が施された後に、アンテナ素子１０２の受信レベルＰ２がアンテナ切替制御部１１１に入力される。即ち、タイミングＴ４１３からタイミングＴ４１４までの区間では、他の受信ステップが実施されることになる。なお、受信ステップと他の受信ステップとにおける低雑音アンプ１０５での利得及び直交復調部１０７でのゲイン値は一定であるものとする。
【００８５】
タイミングＴ４１４からタイミングＴ４１５までの区間では、アンテナ切替制御部１１１において、メモリに保持されたアンテナ素子１０１の受信レベルＰ１とアンテナ素子１０２の受信レベルＰ２とが比較され、その大小関係が判定される。即ち、タイミングＴ４１４からタイミングＴ４１５までの区間では、比較ステップが実施されることになる。
【００８６】
タイミングＴ４１５では、比較ステップにおける比較結果に従って、アンテナ素子１０１の受信レベルＰ１がアンテナ素子１０２の受信レベルＰ２以上（Ｐ１≧Ｐ２）である場合には、アンテナ共用器１０４への接続をアンテナ素子１０１に切り替えるように、一方でアンテナ素子１０２の受信レベルＰ２がアンテナ素子１０１の受信レベルＰ１より大きい（Ｐ２＞Ｐ１）場合には、アンテナ共用器１０４への接続をアンテナ素子１０２のまま維持するように、アンテナ切替制御部１１１からアンテナ切替部１０３に切替信号Ｓ３がそれぞれ入力される。従って、タイミングＴ４１５では、選択ステップが実施されることになる。なお、本実施の形態でも、Ｐ１≧Ｐ２であるものとする。
【００８７】
タイミングＴ４１５からタイミングＴ３１５までの区間では、アンテナ素子１０１による受信信号のＩ信号と同Ｑ信号の受信レベルが一定となるように、直交復調部１０７において前記受信信号に受信ＡＧＣループがかけられる即ち直交復調部１０７とレベル測定部１１０との間で直交復調部１０７のゲイン値についてフィードバック制御が行われる。
【００８８】
そして、タイミングＴ３１５以降即ち待ち受け受信区間では、アンテナ素子１０１による受信信号に基づいて同期追跡及び着呼の待ち受けが実施される。
【００８９】
従って、本実施の形態によれば、比較ステップ及び選択ステップが終了した後に受信ＡＧＣ収束時間が開始されるため、比較ステップにおける比較結果がＰ２＞Ｐ１であっても、上記実施の形態２のように直交復調部１０７のゲイン値がＧｄＢのときにそのゲイン値を（Ｇ＋（Ｐ２−Ｐ１））に修正する必要がなくなる。その結果、本実施の形態に係るＣＤＭＡ受信装置及び移動体通信端末装置によれば、回路構成を簡素化でき、その制御も容易になる。
【００９０】
また、本実施の形態によれば、ＣＤＭＡ方式の仕様で定められた待ち受け受信区間の直前で、かつ、ＣＤＭＡ受信装置１００が待ち受け状態を確立するために必ず必要となる受信前処理において、受信ステップ、切替ステップ、他の受信ステップ、比較ステップ及び選択ステップが順に実施されるため、全ての待ち受け受信区間で高い受信品質を確保することができる。
【００９１】
また、本実施の形態に係る移動体通信端末装置によれば、待ち受け受信区間直前の受信前処理において受信ステップ、切替ステップ、他の受信ステップ、比較ステップ及び選択ステップが実施されるため、ＣＤＭＡ受信装置１００の動作時間を削減して、待ち受け時間を一層延ばすことができる。
【００９２】
（実施の形態４）
本発明に係る実施の形態４は、上記実施の形態３において、受信ステップ、切替ステップ、他の受信ステップ、比較ステップ及び選択ステップが受信前処理における受信シンセサイザロックアップ時間が終了した後に実施される代わりに、前記各ステップが受信シンセサイザロックアップ時間の最後に実施されることを特徴とする。
【００９３】
本実施の形態では、実施の形態３と同様に、ＣＤＭＡ受信装置１００及びこれを具備する移動体通信端末装置がそのまま使用される。従って、本実施の形態では、実施の形態３と相違するＣＤＭＡ受信方法についてのみ、以下に詳述する。
【００９４】
図５に、本実施の形態に係る移動体通信端末装置で使用されるＣＤＭＡ受信方法について、その受信ステップ、切替ステップ、他の受信ステップ、比較ステップ及び選択ステップのタイミングを時系列で示す。
【００９５】
図５において、タイミングＴ３１１は任意の待ち受け受信区間が開始される前の受信前処理が始まるタイミング即ち受信シンセサイザロックアップ時間が始まるタイミング、タイミングＴ５１２はアンテナ素子１０１の受信レベルＰ１の測定が開始されるタイミング、タイミングＴ５１３はアンテナ素子１０１の受信レベルＰ１の測定が終了すると伴にアンテナ共用器１０４への接続がアンテナ素子１０２に切り替えられるタイミング、タイミングＴ５１４はタイミングＴ５１３で切り替えられたアンテナ素子１０２から受信信号の取り出しを中止すると伴にアンテナ素子１０１の受信レベルＰ１とアンテナ素子１０２の受信レベルＰ２との比較を開始するタイミング、タイミングＴ５１５は受信シンセサイザロックアップ時間が終了する伴に受信ＡＧＣ収束時間が開始され、かつ、アンテナ素子１０１の受信レベルＰ１とアンテナ素子１０２の受信レベルＰ２との比較が終了してその比較結果に応じてアンテナ共用器１０４へ接続するアンテナ素子を切り替えるタイミング、をそれぞれ示す。
【００９６】
本実施の形態において、タイミングＴ３１１では、タイミング提供部１１２からレベル測定部１１０を介して直交復調部１０７に、受信前処理の開始を通知するタイミングが提供される。続いて、タイミングＴ５１２では、タイミング提供部１１２からレベル測定部１１０に、アンテナ素子１０１の受信レベルＰ１の測定開始を通知するタイミングが提供される。続いて、タイミングＴ５１３では、タイミング提供部１１２からアンテナ切替制御部１１１に、アンテナ共用器１０４への接続をアンテナ素子１０１からアンテナ素子１０２に切り替えさせるためのタイミングが提供される。続いて、タイミングＴ５１４では、タイミング提供部１１２からレベル測定部１１０に、アンテナ素子１０２の受信レベルＰ２の測定の終了を通知するタイミングが提供されると伴に、タイミング提供部１１２からアンテナ切替制御部１１１に、アンテナ素子１０１の受信レベルＰ１とアンテナ素子１０２の受信レベルＰ２との比較の開始を通知するタイミングが提供される。続いて、タイミングＴ５１５では、タイミング提供部１１２からアンテナ切替制御部１１１に、前記比較に基づいて選択されたアンテナ素子１０１にアンテナ共用器１０４への接続を切り替えさせるタイミングが提供される。なお、タイミングＴ３１５では、タイミング提供部１１２からレベル測定部１１０を介して直交復調部１０７に、受信前処理の終了即ち受信ＡＧＣ収束時間の終了を通知するタイミングが提供される。
【００９７】
タイミングＴ３１１からタイミングＴ５１２までの受信シンセサイザロックアップ時間におけるプリロック時間では、アンテナ素子１０１による受信信号に対して直交復調部１０７において、直交復調用ローカル信号を生成する受信シンセサイザの周波数ロックアップ動作が行われる。このプリロック時間は受信シンセサイザロックアップ時間の１／２から２／３程度であって、その経過時には、受信シンセサイザの周波数誤差が数ｋＨｚ程度にまで収束する。従って、プリロック時間の経過時即ちタイミングＴ５１２の時点において、アンテナ素子１０１の受信レベルＰ１の測定は既に可能になっている。なお、この受信シンセサイザロックアップ時間におけるプリロック時間では、レベル測定部１１０においてアンテナ素子１０１の受信レベルＰ１の測定は行われない。
【００９８】
タイミングＴ５１２では、タイミング提供部１１２から提供されるタイミングに応じて、レベル測定部１１０においてアンテナ素子１０１の受信レベルＰ１の測定が開始される。
【００９９】
タイミングＴ５１２からタイミングＴ５１３までの区間では、アンテナ素子１０１による受信信号がアナログ信号としてレベル測定部１１０に入力され、レベル測定部１１０においてその受信レベルＰ１が測定される。即ち、本実施の形態では、タイミングＴ５１２からタイミングＴ５１３までの区間において、受信ステップが実施されることになる。そして、測定されたアンテナ素子１０１の受信レベルＰ１は、アンテナ切替制御部１１１に入力され、具備されるメモリに一時保持される。
【０１００】
タイミングＴ５１３では、上記の通りタイミング提供部１１２からアンテナ切替制御部１１１にアンテナ素子１０１からアンテナ素子１０２にアンテナ共用器１０４への接続を切り替えさせるタイミングが提供される。そして、このタイミングを提供されたアンテナ切替制御部１１１は、アンテナ切替部１０３に切替信号Ｓ３を入力する。アンテナ切替部１０３は、切替信号Ｓ３に従って、アンテナ共用器１０４への接続をアンテナ素子１０１からアンテナ素子１０２に切り替える。即ち、タイミングＴ５１３では、切替ステップが実施されることになる。
【０１０１】
タイミングＴ５１３からタイミングＴ５１４までの区間では、アンテナ素子１０２による受信信号に上記受信ステップでの信号処理と同様の信号処理が施された後に、アンテナ素子１０２の受信レベルＰ２がアンテナ切替制御部１１１に入力される。即ち、タイミングＴ５１３からタイミングＴ５１４までの区間では、他の受信ステップが実施されることになる。なお、受信ステップと他の受信ステップとにおける低雑音アンプ１０５での利得及び直交復調部１０７でのゲイン値は一定であるものとする。
【０１０２】
タイミングＴ５１４からタイミングＴ５１５までの区間では、アンテナ切替制御部１１１において、メモリに保持されたアンテナ素子１０１の受信レベルＰ１とアンテナ素子１０２の受信レベルＰ２とが比較され、その大小関係が判定される。即ち、タイミングＴ５１４からタイミングＴ５１５までの区間では、比較ステップが実施されることになる。
【０１０３】
タイミングＴ５１５では、比較ステップにおける比較結果に従って、アンテナ素子１０１の受信レベルＰ１がアンテナ素子１０２の受信レベルＰ２以上（Ｐ１≧Ｐ２）である場合には、アンテナ共用器１０４への接続をアンテナ素子１０１に切り替えるように、一方でアンテナ素子１０２の受信レベルＰ２がアンテナ素子１０１の受信レベルＰ１より大きい（Ｐ２＞Ｐ１）場合には、アンテナ共用器１０４への接続をアンテナ素子１０２のまま維持するように、アンテナ切替制御部１１１からアンテナ切替部１０３に切替信号Ｓ３がそれぞれ入力される。従って、タイミングＴ５１５では、選択ステップが実施されることになる。なお、本実施の形態でも、Ｐ１≧Ｐ２であるものとする。
【０１０４】
タイミングＴ５１５からタイミングＴ３１５までの区間では、アンテナ素子１０１による受信信号のＩ信号と同Ｑ信号の受信レベルが一定となるように、直交復調部１０７で前記受信信号に受信ＡＧＣループがかけられる即ち直交復調部１０７とレベル測定部１１０との間でアンテナ素子１０１の受信レベルＰ１についてフィードバック制御が行われる。
【０１０５】
そして、タイミングＴ３１５以降即ち待ち受け受信区間では、アンテナ素子１０１による受信信号に基づいて同期追跡及び着呼の待ち受けが実施される。
【０１０６】
従って、本実施の形態に係るＣＤＭＡ受信方法によれば、上記実施の形態３による効果に加えて、受信シンセサイザロックアップ時間の最後に受信ステップ、切替ステップ、他の受信ステップ、比較ステップ及び選択ステップが順に実施されるため、タイミング提供部１１２を除くＣＤＭＡ受信装置１００の各構成部の動作時間をさらに短縮することができる。その結果、本実施の形態によれば、ＣＤＭＡ受信装置１００の消費電力をより一層削減して、待ち受け時間が一層長い移動体通信端末装置を提供することができる。
【産業上の利用可能性】
【０１０７】
本発明にかかるＣＤＭＡ受信方法は、ＣＤＭＡ方式の仕様で定められた待ち受け受信区間における同期追跡及び着呼の待ち受け受信性能を改善できると伴に、通信開始当初から受信信号の高い受信品質を確保でき、さらにその高い受信品質を通信中維持できるという効果を有し、ＣＤＭＡ受信装置及び移動体通信端末装置等において有用に使用される。
【図面の簡単な説明】
【０１０８】
【図１】本発明の実施の形態に係るＣＤＭＡ受信装置の構成を示すブロック図
【図２】本発明の実施の形態１に係るＣＤＭＡ受信方法についてのタイミング図
【図３】本発明の実施の形態２に係るＣＤＭＡ受信方法についてのタイミング図
【図４】本発明の実施の形態３に係るＣＤＭＡ受信方法についてのタイミング図
【図５】本発明の実施の形態４に係るＣＤＭＡ受信方法についてのタイミング図
【符号の説明】
【０１０９】
１００  ＣＤＭＡ受信装置
１０１、１０２  アンテナ素子
１０３  アンテナ切替部
１０４  アンテナ共用器
１０５  低雑音アンプ
１０６  フィルタ
１０７  直交復調部
１０８、１０９  Ａ／Ｄコンバータ
１１０  レベル測定部
１１１  アンテナ切替制御部
１１２  タイミング提供部
【図１】
2005150913.tif 000003
【図２】
2005150913.tif 000004
【図３】
2005150913.tif 000005
【図４】
2005150913.tif 000006
【図５】
2005150913.tif 000007